(57)【要約】【課題】  フラットケーブルに、より簡単な構造で容易に取り付けることができるクランプ、このようなクランプを用いたフラットケーブルの固定構造、およびフラットケーブルの固定方法を提供する。【解決手段】  フラットケーブル７を固定対象９に固定するクランプ１は、ベース部２と、ベース部２に設けられ、ベース部２との間にフラットケーブル７の幅方向の一端部を収容するケーブル押え片３と、ベース部２に設けられ、ベース部２とケーブル押え片３との間に幅方向の一端部が収容されたフラットケーブル７のブリッジ部８を貫通する突起部４と、ベース部２に設けられ、固定対象９の固定部１０に係止する係止部５と、を備えた。【選択図】  図３
2005341629.tif 000002
【特許請求の範囲】
【請求項１】
フラットケーブルを固定対象に固定するクランプであって、
ベース部と、
該ベース部に設けられ、該ベース部との間に前記フラットケーブルの幅方向の一端部を収容するケーブル押え片と、
前記ベース部に設けられ、該ベース部と前記ケーブル押え片との間に幅方向の一端部が収容された前記フラットケーブルのブリッジ部を貫通する突起部と、
前記ベース部に設けられ、前記固定対象の固定部に係止する係止部と、
を備えた
ことを特徴とするクランプ。
【請求項２】
前記突起部を、鉤状に形成したことを特徴とする請求項１に記載のクランプ。
【請求項３】
クランプによる固定対象へのフラットケーブルの固定構造であって、
ベース部に、ケーブル押え片と突起部と係止部とを設けて前記クランプを構成し、前記ベース部と前記ケーブル押え片との間に前記フラットケーブルの幅方向の一端部を収容するとともに、前記突起部を前記フラットケーブルのブリッジ部に貫通させて前記クランプを前記フラットケーブルに取り付け、前記係止部を前記固定対象の固定部に係止した
ことを特徴とするフラットケーブルの固定構造。
【請求項４】
前記クランプの突起部を、鉤状に形成したことを特徴とする請求項３に記載のフラットケーブルの固定構造。
【請求項５】
クランプによる固定対象へのフラットケーブルの固定方法であって、
ベース部に、ケーブル押え片と突起部と係止部とを設けてなる前記クランプを、前記フラットケーブルに取り付ける取付工程と、前記クランプを固定対象に固定する固定工程とを含んでなり、前記取付工程では、前記ベース部と前記ケーブル押え片との間に前記フラットケーブルの幅方向の一端部を収容して前記ケーブル押え片に係合させた後に前記突起部を前記フラットケーブルのブリッジ部に貫通させ、前記固定工程では、前記係止部を前記固定対象の固定部に係止させる
ことを特徴とするフラットケーブルの固定方法。
【発明の詳細な説明】
【技術分野】
【０００１】
本発明は、フラットケーブルを固定対象に固定するクランプ、クランプを用いたフラットケーブルの固定構造、およびフラットケーブルの固定方法に関する。
【背景技術】
【０００２】
従来より、導体の上に絶縁被覆を施してなる芯線部が同一平面上に並行に複数配置され、隣り合う前記芯線部が絶縁材で形成されたブリッジ部を介して一体に連結されてなるフラットケーブルが知られている。そして、このようなフラットケーブルを、例えばワイヤハーネスとして、車両のインストルメントパネル、或いはドア内装パネル等の固定対象に固定するためのクランプ或いはそのようなクランプを用いた固定構造が知られている
このような従来のフラットケーブルの固定構造として、フラットケーブルに差込穴を設け、ベース部と該ベース部の一端面から突出する頭部と該頭部の側面から前記ベース部の一端面との間にフラットケーブルの厚みスペースを隔てて放射状に突出するアーム部とを有するクランプの、前記頭部とアーム部とを前記差込穴に嵌合した後、このクランプを回転してフラットケーブルを前記ベース部とアーム部とで挟み込み、前記クランプのクリップ部をパネルに係合させて固定するフラットケーブルの固定構造が知られている（例えば、特許文献１参照。）。
【特許文献１】実開平５−７２１７９号公報
【発明の開示】
【発明が解決しようとする課題】
【０００３】
上記特許文献１に記載のフラットケーブルの固定構造によれば、フラットケーブルの固定を容易に行うことができ、また、取り付け時にフラットケーブルを損傷するおそれもないという効果を得ることができる。
【０００４】
しかしながら、上記特許文献１に記載のフラットケーブルの固定構造においては、フラットケーブルに、クランプを差し込むための差込穴を必ず設けなければならず、また、この差込穴は前記クランプの頭部とアーム部とを嵌合できるよう形成しなければならず、加工が面倒である。
【０００５】
本発明の目的は、フラットケーブルに、より簡単な構造で容易に取り付けることができるクランプ、このようなクランプを用いたフラットケーブルの固定構造、およびフラットケーブルの固定方法を提供することにある。
【課題を解決するための手段】
【０００６】
上記課題を解決するために、請求項１に記載の発明は、フラットケーブルを固定対象に固定するクランプであって、ベース部と、該ベース部に設けられ、該ベース部との間に前記フラットケーブルの幅方向の一端部を収容するケーブル押え片と、前記ベース部に設けられ、該ベース部と前記ケーブル押え片との間に幅方向の一端部が収容された前記フラットケーブルのブリッジ部を貫通する突起部と、前記ベース部に設けられ、前記固定対象の固定部に係止する係止部と、を備えたことを特徴とする。
【０００７】
このような請求項１に記載の発明では、前記ケーブル押え片と前記ベース部との間に前記フラットケーブルの幅方向の一端部を収容し、該フラットケーブルのブリッジ部に前記突起部を貫通させて、フラットケーブルにクランプを取り付け、また、前記係止部を固定対象の固定部に係止させて固定対象にクランプを固定する。これにより、フラットケーブルが固定対象に固定される。
【０００８】
請求項２に記載の発明は、請求項１に記載の前記突起部を、鉤状に形成したことを特徴とする。
【０００９】
このような請求項２に記載の発明では、クランプをフラットケーブルに取り付けたときには、鉤状に形成した前記突起部がフラットケーブルのブリッジ部を貫通している。
【００１０】
請求項３に記載の発明は、クランプによる固定対象へのフラットケーブルの固定構造であって、ベース部に、ケーブル押え片と突起部と係止部とを設けて前記クランプを構成し、前記ベース部と前記ケーブル押え片との間に前記フラットケーブルの幅方向の一端部を収容するとともに、前記突起部を前記フラットケーブルのブリッジ部に貫通させて前記クランプを前記フラットケーブルに取り付け、前記係止部を前記固定対象の固定部に係止したことを特徴とする。
【００１１】
このような請求項３に記載の発明では、前記クランプのケーブル押え片とベース部との間にフラットケーブルの幅方向の一端部を収容し、前記突起部をフラットケーブルのブリッジ部に貫通させることによって前記クランプをフラットケーブルに取り付け、また、前記係止部を固定対象の固定部に係止させることにより、クランプを固定対象に固定する。これにより、フラットケーブルが固定対象に固定される。
【００１２】
請求項４に記載の発明は、請求項３に記載の前記クランプの突起部を、鉤状に形成したことを特徴とする。
【００１３】
このような請求項４に記載の発明では、クランプをフラットケーブルに取り付けたときには、鉤状に形成した前記突起部がフラットケーブルのブリッジ部を貫通している。
【００１４】
請求項５に記載の発明は、クランプによる固定対象へのフラットケーブルの固定方法であって、ベース部に、ケーブル押え片と突起部と係止部とを設けてなる前記クランプを、前記フラットケーブルに取り付ける取付工程と、前記クランプを固定対象に固定する固定工程とを含んでなり、前記取付工程では、前記ベース部と前記ケーブル押え片との間に前記フラットケーブルの幅方向の一端部を収容して前記ケーブル押え片に係合させた後に前記突起部を前記フラットケーブルのブリッジ部に貫通させ、前記固定工程では、前記係止部を前記固定対象の固定部に係止させることを特徴とする。
【００１５】
このような請求項５に記載の発明では、前記取付工程において、前記ベース部と前記ケーブル押え片との間にフラットケーブルの幅方向の一端部を収容して前記ケーブル押え片に係合させて位置決めをした後、ブリッジ部に前記突起部を貫通させることにより、フラットケーブルにクランプを取り付ける。また、前記固定工程において、前記係止部を固定対象の固定部に係止させることにより、固定対象にクランプを固定する。以上のように、前記取付工程および前記固定工程を経て、固定対象にフラットケーブルが固定される。
【発明の効果】
【００１６】
請求項１，３に記載の発明によれば、フラットケーブルの幅方向の一端部を前記ケーブル押え片と前記ベース部との間に収容し、前記突起部をフラットケーブルのブリッジ部に貫通させることにより、簡単な構造で容易にフラットケーブルへのクランプの取り付けを行うことができ、固定対象にフラットケーブルを簡単に固定することができる。そして、このように簡単な構造でクランプを取り付けることができ、フラットケーブルの固定構造が簡単なので、生産性が向上し、製造コストを低減することができる。
【００１７】
請求項２，４に記載の発明によれば、ブリッジ部を貫通する突起部を鉤状に形成したので、ブリッジ部が突起部から抜け出ることをより効果的に防止することができる。
【００１８】
請求項５に記載の発明によれば、フラットケーブルにクランプを簡単な構造で容易に取り付けることができ、固定対象にフラットケーブルを簡単に固定することができる。また、フラットケーブルへのクランプの取り付けの際に、前記ベース部と前記ケーブル押え片との間にフラットケーブルの幅方向の一端部を収容して該フラットケーブルの幅方向の一端部を前記ケーブル押え片に係合させて位置決めをした後、前記突起部をブリッジ部に貫通させるので、容易に、スムーズに、かつ確実にブリッジ部への突起部の貫通を行うことができる。
【発明を実施するための最良の形態】
【００１９】
以下、図面を参照して本発明を実施するための最良の形態の一例について説明する。 
図１は本発明に係るクランプの第一実施形態を示す図であり、図１（Ａ）は正面図、図１（Ｂ）は平面図、図２は図１に示すクランプをフラットケーブルに取り付けるときの様子を示す図、図３は図１に示すクランプによってフラットケーブルを固定対象に固定した状態を示す図である。
【００２０】
先ず、フラットケーブルを固定対象に固定する本例のクランプの構成について説明する。図において、符号１で示すクランプは、平面視略長方形状で平板状のベース部２を有し、このベース部２の一面側２ａの縁部に設けられたケーブル押え片３と、ベース部２の一面側２ａに設けられた突起部４と、ベース部２の他面側２ｂに設けられた係止部５を備えて構成されている。そして、前記ベース部２とケーブル押え片３と突起部４と係止部５は、合成樹脂で一体に形成されている。
【００２１】
前記ケーブル押え片３は、断面略Ｊ字形状となっており、ベース部２の縁部に長手方向に連続して形成されている。このケーブル押え片３は、その先端部とベース部２の一面側２ａとの間に開口部６を有し、この開口部６から、フラットケーブル７の幅方向の端部を挿入して、ケーブル押え片３とベース部２の一面側２ａとの間に、後述するようにフラットケーブル７（図２，３参照）の幅方向の端部が収容されるようになっている。
【００２２】
前記突起部４は２つ設けられており、クランプ１をフラットケーブル７に取り付ける時に、フラットケーブル７のブリッジ部８（図２，３参照）を貫通するようになっている。
【００２３】
前記係止部５は、固定対象９（図３参照）の固定部１０（図３参照）に係止するためのものであり、ベース部２の他面側２ｂから突設する基部１１と基部１１から連続して形成される略円錐形状の先端部１２とで構成されている。
【００２４】
次に、このような構成のクランプ１によるフラットケーブル７の固定対象９への固定について図２および図３を参照して説明する。固定対象９は、例えば、車両のインストルメントパネルやドア内装パネルなどである。
【００２５】
ここで、フラットケーブル７の構成について説明する。フラットケーブル７は、導体（図示省略）の上に絶縁被覆を施してなる芯線部１３が同一平面上に複数配置され、隣り合う芯線部１３が絶縁材で形成されたブリッジ部８を介して一体に連結されて構成されている。
【００２６】
このような構成のフラットケーブル７は、該フラットケーブル７にクランプ１を取り付ける取付工程と、クランプ１を固定対象９に固定する固定工程とを経て、固定対象９に固定される。本例では、前記取付工程でクランプ１をフラットケーブル７に取り付けた後、前記固定工程でクランプ１を固定対象９に固定する。
【００２７】
前記取付工程について具体的に説明すると、この取付工程では、図２に示すように、ベース部２に対してフラットケーブル７を傾けた状態で、該フラットケーブル７の幅方向の一端部を、開口部６から挿入してベース部２の一面側２ａとケーブル押え片３との間に収容するとともに、フラットケーブル７の幅方向の一端部をケーブル押え片３に係合して位置決めを行う。そして、フラットケーブル７を、ケーブル押え片３に係合した部分（幅方向の一端部）を中心にして図中の矢印の方向に回転し、ブリッジ部８に突起部４を突き刺して貫通させ、ベース部２の一面側２ａ上にフラットケーブル７を載置する。
【００２８】
これにより、フラットケーブル７の幅方向の一端部がベース部２とケーブル押え片３との間に収容されているとともに、ブリッジ部８に突起部４が貫通した状態となる（図３参照）。そして、突起部４がベース部２上におけるフラットケーブル７の平面方向への移動を抑制し、また、ケーブル押え片３がフラットケーブル７の上下方向への移動を抑制して突起部４からのフラットケーブル７の抜け出しを防止することとなる。以上により、フラットケーブル７へのクランプ１の取り付けが完了する。
【００２９】
次に、このようにしてフラットケーブル７に取り付けたクランプ１を、固定工程において固定対象９に固定する。固定工程について具体的に説明すると、この固定工程では、図３に示すように、固定対象９に設けられた貫通穴で構成される固定部１０に、クランプ１の係止部５を挿入し、前記貫通穴を通過させた係止部５の先端部１２を固定対象９に係止させてクランプ１を固定対象９に固定する。これにより、フラットケーブル７が固定対象９に固定される。
【００３０】
以上説明した本例によれば、ベース部２とケーブル押え片３との間にフラットケーブル７の幅方向の一端部を収容し、突起部４をブリッジ部８に貫通させることにより、簡単な構造で容易にフラットケーブル７へのクランプ１の取り付けを行うことができ、固定対象９にフラットケーブル７を簡単に固定することができる。そして、このように簡単な構造でクランプ１を取り付けることができ、フラットケーブル７の固定構造が簡単なので、生産性が向上し、製造コストを低減することができる。
【００３１】
また、フラットケーブル７へのクランプ１の取り付けの際に、ベース部２とケーブル押え片３との間にフラットケーブル７の幅方向の一端部を収容して該フラットケーブル７の幅方向の一端部をケーブル押え片に係合させて位置決めをした後、突起部４をブリッジ部８に貫通するので、ブリッジ部８や芯線部１３に負荷がかかることもなく、容易に、スムーズに、かつ確実にブリッジ部８への突起の貫通を行うことができる。
【００３２】
さらに、ケーブル押え片３は、断面略Ｊ字形状となっているので、フラットケーブル７の幅方向の一端部を係止させやすく、容易に位置決めをすることができる。
【００３３】
ただし、本発明において、ケーブル押え片３は、断面略Ｊ字形状のものに限られるものではなく、例えば、断面略Ｌ字形状等どのような形状であってもよい。しかしながら、ケーブル押え片３は、フラットケーブル７の幅方向の一端部を係止させ易い形状となっていることが好ましい。
【００３４】
次に、本発明の第二実施形態について説明する。 
図４は本発明に係るクランプの第二実施形態を示す図であり、図４（Ａ）は正面図、図４（Ｂ）は平面図、図５は図４に示すクランプをフラットケーブルに取り付けるときの様子を示す図、図６は図４に示すクランプによってフラットケーブルを固定対象に固定した状態を示す図である。
【００３５】
図において、符号２０は本例のクランプを示しており、本例のクランプ２０においては、ケーブル押え片３は、ベース部２の縁部に三つに分かれて断続的に形成されている。また、突起部４は、先端部を折り曲げて折れ曲がり部２１が形成されており、鉤状に形成されている。そして、かかる突起部４には、折れ曲がり部２１の基端部分に、くびれ部２２が形成されている。クランプ２０のその他の構成については上記第一実施形態のクランプ１と同様となっている。
【００３６】
このような本例のクランプ２０を取付工程においてフラットケーブル７に取り付けるには、図５に示すように、第一実施形態と同様、ベース部２に対してフラットケーブル７を傾けた状態で該フラットケーブル７の幅方向の一端部を、開口部６から挿入してベース部２の一面側２ａとケーブル押え片３との間に収容するとともに、フラットケーブル７の幅方向の一端部をケーブル押え片３に係合して位置決めを行う。そして、フラットケーブル７をケーブル押え片３に係合した部分（幅方向の一端部）を中心にして図中の矢印の方向に回転し、ブリッジ部８に突起部４を突き刺して貫通させ、ベース部２の一面側２ａにフラットケーブル７を載置する。ブリッジ部８に突起部４を突き刺すときには、突起部４の折れ曲がり部２１が内側（くびれ部２２側）へ撓み突起部４を貫通させ易くなる。そして、内側へ撓んだ折れ曲がり部２１は、ブリッジ部８を貫通すると樹脂剛性により元に戻る。
【００３７】
以上により、上記第一実施形態と同様、フラットケーブル７の幅方向の一端部がベース部２とケーブル押え片３との間に収容されているとともに、ブリッジ部８に突起部４が貫通した状態となる（図６参照）。そして、突起部４がベース部２上におけるフラットケーブル７の平面方向への移動を抑制し、また、ケーブル押え片３と突起部４の折れ曲がり部２１がフラットケーブル７の上下方向への移動を抑制して突起部４からのフラットケーブル７の抜け出しを防止することとなる。以上により、フラットケーブル７へのクランプ２０の取り付けが完了する。
【００３８】
このようにして取付工程においてフラットケーブル７にクランプ２０を取り付けた後、固定工程においてこのクランプ２０を上記第一実施形態と同様にして固定対象９に固定し、フラットケーブル７を固定対象９に固定する。
【００３９】
以上説明した本例によれば、上記第一実施形態と同様の効果を得ることができるとともに、ケーブル押え片３だけではなく、鉤状に形成された突起部４の折れ曲がり部２１によっても、クランプ２０に取り付けられたフラットケーブル７の上下方向への移動が抑制されるので、より効果的にフラットケーブル７の突起部４からの抜け出しを防止することができる。さらに、突起部４をフラットケーブル７のブリッジ部に突き刺すときには、折れ曲がり部２１が内側に撓むので突き刺しやすい。そして、折れ曲がり部２１の基端部には、くびれ部２２が形成されていることから、折れ曲がり部２１は、内側（くびれ部２２側）に撓みやすい。
【００４０】
また、本例では、ケーブル押え片３は、断続的に形成されていることから、クランプ２０の成型時に型抜きが容易であり、クランプ２０の軽量化を図ることもできる。
【００４１】
ただし、ケーブル押え片３は、第一実施形態と同様、長手方向に連続して形成されていてもよい。また、逆に、第一実施形態において長手方向に連続して形成されているケーブル押え片３は、第二実施形態のように複数に分けて断続的に形成されていてもよい。
【００４２】
また、上記各実施形態では、フラットケーブル７にクランプ１，２０を取り付ける取付工程の後、クランプ１，２０を固定対象９に固定する固定工程を行っているが、取付工程と固定工程は、どちらが先であってもよい。すなわち、上記各実施形態のように、取付工程が先であってもよいし、逆に、固定工程を先に行ってクランプ１，２０を固定対象９に固定した後、かかるクランプ１，２０をフラットケーブル７に取り付ける取付工程を行ってもよい。
【図面の簡単な説明】
【００４３】
【図１】本発明に係るクランプの第一実施形態を示す図であり、（Ａ）は正面図、（Ｂ）は平面図。
【図２】図１に示すクランプをフラットケーブルに取り付けるときの様子を示す図。
【図３】図１に示すクランプによってフラットケーブルを固定対象に固定した状態を示す図。
【図４】本発明に係るクランプの第二実施形態を示す図であり、（Ａ）は正面図、（Ｂ）は平面図。
【図５】図４に示すクランプをフラットケーブルに取り付けるときの様子を示す図。
【図６】図４に示すクランプによってフラットケーブルを固定対象に固定した状態を示す図。
【符号の説明】
【００４４】
１，２０    クランプ
２    ベース部
３    ケーブル押え片
４    突起部
５    係止部
７    フラットケーブル
８    ブリッジ部
９    固定対象
１０    固定部
【図１】
2005341629.tif 000003
【図２】
2005341629.tif 000004
【図３】
2005341629.tif 000005
【図４】
2005341629.tif 000006
【図５】
2005341629.tif 000007
【図６】
2005341629.tif 000008